(57)【要約】【課題】ワイヤーハーネスの分岐部分等に対して容易に環状弾性部品を取付けられるようにすることを目的とする。【解決手段】拡張治具２０は、ワイヤーハーネス１２に環状弾性部品（例えば、弾性コネクタカバー）を取付ける際に環状弾性部品を拡張させる。拡張治具２０は、所定の軸Ｘ周りに配設された３つ以上の拡張部材２２を備える。前記３つ以上の拡張部材２２のそれぞれは、前記所定の軸Ｘ方向一方側に向けて延在する延在部２５を含み、その基端側部分が所定の軸Ｘを中心とする放射方向に沿って移動可能に支持された基部２４と、延在部２５の先端部から所定の軸Ｘに向けて延在する中間連結部２８と、中間連結部２６の先端部から所定の軸Ｘ方向他方側に向けて延在する挿入部２９とを備える。【選択図】図２
2016058291.tif 000002
【特許請求の範囲】
【請求項１】
ワイヤーハーネスに環状弾性部品を取付ける際に環状弾性部品を拡張させるための拡張治具であって、
所定の軸周りに配設された３つ以上の拡張部材を備え、
前記３つ以上の拡張部材のそれぞれは、
前記所定の軸方向一方側に向けて延在する延在部を含み、その基端側部分が前記所定の軸を中心とする放射方向に沿って移動可能に支持された基部と、
前記延在部の先端部から前記所定の軸に向けて延在する中間連結部と、
前記中間連結部の先端部から前記所定の軸方向他方側に向けて延在する挿入部と、
を備える環状弾性部品の拡張治具。
【請求項２】
請求項１に記載の環状弾性部品の拡張治具であって、
前記中間連結部は、前記３つ以上の拡張部材の挿入部が最も近づいた状態において、前記各延在部の内側に前記環状弾性部品を配設可能な程度の長さ寸法に設定されている、環状弾性部品の拡張治具。
【請求項３】
請求項１又は請求項２記載の環状弾性部品の拡張治具を用いた、環状弾性部品付ワイヤーハーネスの製造方法であって、
(a)幹線部分と前記幹線部分から分岐する分岐部分とを含み、前記分岐部分の端部にコネクタが取付けられたワイヤーハーネスを準備する工程と、
(b)前記３つ以上の拡張部材の挿入部を、環状弾性部品内に挿入する工程と、
(c)前記工程(b)の後、前記３つ以上の拡張部材を前記所定の軸を中心とする放射方向に沿って外向きに移動させて、前記環状弾性部品を拡張する工程と、
(d)前記工程(c)の後、前記分岐部分を前記環状弾性部品内に挿通する工程と、
(e)前記工程(d)の後、前記３つ以上の拡張部材を前記所定の軸を中心とする放射方向に沿って内向きに移動させて、前記環状弾性部品を縮める工程と、
(f)前記工程(e)の後、前記環状弾性部品に対して挿入部を引抜く工程と、
を備える環状弾性部品付ワイヤーハーネスの製造方法。
【発明の詳細な説明】
【技術分野】
【０００１】
この発明は、ワイヤーハーネスに環状弾性部品を取付けるための技術に関する。
【背景技術】
【０００２】
特許文献１は、円柱体を周方向へ等分割してなる複数の治具本体を、その軸心に対して放射方向へ移動させて、グロメットを拡張させる治具を開示している。
【先行技術文献】
【特許文献】
【０００３】
【特許文献１】特開２００１−１９００１４号公報
【発明の概要】
【発明が解決しようとする課題】
【０００４】
ところで、ワイヤーハーネスの幹線部分から分岐する分岐部分にコネクタカバーが取付けられる場合がある。
【０００５】
特許文献１に開示の治具を用いて、コネクタカバーを分岐部分に取付ける作業としては、次の工程を含むことが考えられる。すなわち、複数の治具本体をコネクタカバーに挿入し、その後、複数の治具本体を放射方向へ移動させてコネクタカバーを拡張する。その後、分岐部分をコネクタカバー内に挿入し、複数の治具本体をコネクタカバーから引抜く。
【０００６】
しかしながら、分岐部分の基端側には幹線部分が存在し、分岐部分の先端側にはコネクタが存在している。このため、分岐部分をコネクタカバー内に挿入した後、複数の治具本体をコネクタカバーから引抜こうとしても、幹線部分又はコネクタが邪魔となって、当該引抜き作業を行うことが困難となる。
【０００７】
ここで、分岐部分の先端部にコネクタを取付ける前に、コネクタカバー内に分岐部分を挿入し、その後、治具本体を引抜き、その後、分岐部分の先端部にコネクタを取付けることが考えられる。しかしながら、その場合、ワイヤーハーネスの製造工程全体において、一部のコネクタを後付せざるを得なくなるため、製造効率が悪くなる。
【０００８】
そこで、本発明は、ワイヤーハーネスの分岐部分等に対して容易に環状弾性部品を取付けられるようにすることを目的とする。
【課題を解決するための手段】
【０００９】
上記課題を解決するため、第１の態様は、ワイヤーハーネスに環状弾性部品を取付ける際に環状弾性部品を拡張させるための拡張治具であって、所定の軸周りに配設された３つ以上の拡張部材を備え、前記３つ以上の拡張部材のそれぞれは、前記所定の軸方向一方側に向けて延在する延在部を含み、その基端側部分が前記所定の軸を中心とする放射方向に沿って移動可能に支持された基部と、前記延在部の先端部から前記所定の軸に向けて延在する中間連結部と、前記中間連結部の先端部から前記所定の軸方向他方側に向けて延在する挿入部とを備える。
【００１０】
第２の態様は、第１の態様に係る環状弾性部品の拡張治具であって、前記中間連結部は、前記３つ以上の拡張部材の挿入部が最も近づいた状態において、前記各延在部の内側に前記環状弾性部品を配設可能な程度の長さ寸法に設定されているものである。
【００１１】
第３の態様は、第１又は第２の態様に係る環状弾性部品の拡張治具を用いた、環状弾性部品付ワイヤーハーネスの製造方法であって、(a)幹線部分と前記幹線部分から分岐する分岐部分とを含み、前記分岐部分の端部にコネクタが取付けられたワイヤーハーネスを準備する工程と、(b)前記３つ以上の拡張部材の挿入部を、環状弾性部品内に挿入する工程と、(c)前記工程(b)の後、前記３つ以上の拡張部材を前記所定の軸を中心とする放射方向に沿って外向きに移動させて、前記環状弾性部品を拡張する工程と、(d)前記工程(c)の後、前記分岐部分を前記環状弾性部品内に挿通する工程と、(e)前記工程(d)の後、前記３つ以上の拡張部材を前記所定の軸を中心とする放射方向に沿って内向きに移動させて、前記環状弾性部品を縮める工程と、(f)前記工程(e)の後、前記環状弾性部品に対して挿入部を引抜く工程とを備える。
【発明の効果】
【００１２】
第１〜第３の態様によると、延在部に対して所定の軸側に挿入部が設けられることになる。このため、延在部の内側に環状弾性部品を配設した状態で、挿入部を環状弾性部品に挿入した状態とすることができる。そして、環状弾性部品に対して挿入部を基部の先端側に抜くことができる。このため、ワイヤーハーネスの分岐部分に対して環状弾性部品を取付ける際等において、幹線部分及びコネクタ等が邪魔になり難く、ワイヤーハーネスの分岐部分等に対して容易に環状弾性部品を取付けることができる。
【００１３】
第２の態様によると、３つ以上の拡張部材の挿入部を最も近づけた状態において、前記各延在部の内側に前記環状弾性部品を配設した状態とすることができる。そして、この状態で、挿入部を環状弾性部品から容易に引抜くことができる。
【図面の簡単な説明】
【００１４】
【図１】環状弾性部品付ワイヤーハーネスを示す概略図である。
【図２】同上の環状弾性部品付ワイヤーハーネスの部分概略斜視図である。
【図３】環状弾性部品の拡張治具を示す斜視図である。
【図４】環状弾性部品付ワイヤーハーネスの製造工程を示す説明図である。
【図５】環状弾性部品付ワイヤーハーネスの製造工程を示す説明図である。
【図６】環状弾性部品付ワイヤーハーネスの製造工程を示す説明図である。
【図７】環状弾性部品付ワイヤーハーネスの製造工程を示す説明図である。
【図８】環状弾性部品付ワイヤーハーネスの製造工程を示す説明図である。
【図９】環状弾性部品付ワイヤーハーネスの製造工程を示す説明図である。
【図１０】環状弾性部品付ワイヤーハーネスの製造工程を示す説明図である。
【図１１】環状弾性部品付ワイヤーハーネスの製造工程を示す説明図である。
【図１２】環状弾性部品付ワイヤーハーネスの製造工程を示す説明図である。
【発明を実施するための形態】
【００１５】
以下、実施形態に係る環状弾性部品の拡張治具及び環状弾性部品付ワイヤーハーネスの製造方法について説明する。
【００１６】
＜環状弾性部品付ワイヤーハーネスについて＞
まず、拡張治具の適用対象の一例である環状弾性部品付ワイヤーハーネスについて説明しておく。
【００１７】
図１は環状弾性部品付ワイヤーハーネス１０を示す概略図であり、図２は同環状弾性部品付ワイヤーハーネス１０の部分概略斜視図である。
【００１８】
この環状弾性部品付ワイヤーハーネス１０は、ワイヤーハーネス１２と、環状弾性部品としての弾性コネクタカバー１６とを備える。
【００１９】
ワイヤーハーネス１２は、幹線部分１３と、当該幹線部分１３から分岐する分岐部分１４、１４Ａとを含む。すなわち、ワイヤーハーネス１２は、複数の電線が粘着テープ等の結束部材を用いて結束され、複数の電線が幹線部分１３を構成するように束ねられると共に、当該幹線部分１３を通る複数の電線の一部が当該幹線部分１３から分岐して分岐部分１４、１４Ａを形成している。通常、幹線部分１３には分岐部分１４、１４Ａよりも多くの電線が束ねられている。分岐部分１４、１４Ａは、複数の電線が束ねられたものであってもよいし、１本の電線により構成されていてもよい。
【００２０】
なお、幹線部分及び分岐部分は相対的に把握される部分である。従って、ワイヤーハーネスの最も太い部分からある電線束が分岐し、この電線束からさらに少なくとも１本の電線が分岐している場合、前記ある電線束が幹線部分であり、そこから分岐する少なくとも１本の電線が分岐部分であると把握することもできる。
【００２１】
上記分岐部分１４、１４Ａの先端部には、コネクタ１５が取付けられている。そして、本ワイヤーハーネス１２が車両に組付けられた状態で、コネクタ１５が車両に搭載された各種電気部品に接続される。これにより、車両に搭載された各種電気部品が本ワイヤーハーネス１２を通じて電気的に接続される。
【００２２】
分岐部分１４、１４Ａのうちの少なくとも一部の分岐部分１４Ａには、弾性コネクタカバー１６が取付けられる。
【００２３】
弾性コネクタカバー１６は、ゴム等の弾性材料によって形成された部材であり、カバー部１７と、筒部１８とを備える。
【００２４】
カバー部１７は、コネクタ１５を収容可能な直方体状に形成されている。カバー部１７のうちコネクタ１５の接続端となる部分は開口している。
【００２５】
筒部１８は、カバー部１７よりも細い筒形状に形成されており、その内部に分岐部分１４Ａを挿通できるようになっている。好ましくは、筒部１８の内径寸法は、分岐部分１４Ａを締付けることが可能な程度の大きさ、すなわち、分岐部分１４Ａの外径寸法と同じかこれよりも小さく設定されている。これにより、筒部１８と分岐部分１４Ａとの間で水の浸入を抑制することができる。
【００２６】
また、この弾性コネクタカバー１６は、カバー部１７から筒部１８に向けて徐々に細くなる形状に形成されている。
【００２７】
＜環状弾性部品の拡張治具について＞
環状弾性部品の拡張治具について説明する。図３は環状弾性部品の拡張治具２０を示す斜視図である。
【００２８】
この拡張治具２０は、上記弾性コネクタカバー１６を、ワイヤーハーネス１２に取付ける際において、弾性コネクタカバー１６の内部の孔を広げるように拡張するための治具であり、所定の軸Ｘ周りに配設された３つ以上の拡張部材２２を備える。
【００２９】
弾性コネクタカバー１６の内部の孔を広げるためには、その周方向において離れた３箇所で放射方向外側に広げればよい。このため、拡張部材２２は少なくとも３つあればよい。もっとも、弾性コネクタカバー１６の内部の孔を効果的に広げるためには、その周方向において離れた４箇所以上で放射方向外側に広げることが好ましい。本実施形態では、拡張治具２０が４つの拡張部材２２を備える例で説明する。
【００３０】
各拡張部材２２は、拡張駆動機構部４０によって、所定の軸Ｘ周りで支持されている。拡張駆動機構部４０は、拡張部材２２を、所定の軸Ｘ周りに間隔をあけて、ここでは均等角度（特に、ここでは、９０度）あけて支持する。より具体的には、拡張部材２２は、所定の軸Ｘに対して上下位置及び左右位置に設けられている。また、拡張駆動機構部４０は、足踏等による操作又はアクチュエーターによる動作を、複数（ここでは４つ）の拡張部材２２を、前記所定の軸Ｘを中心とする放射方向に沿って同期して接近及び離隔移動させるリンク機構等の移動機構を備えている。このような移動機構自体は、ワイヤーハーネスに装着されるグロメットを拡張させる装置に採用される構成として、当業者によって公知の構成である。
【００３１】
拡張部材２２は、基部２４と、中間連結部２８と、挿入部２９とを備える。ここでは、拡張部材２２は、細長い金属部材が適宜曲るように形成された部材である。
【００３２】
基部２４は、所定の軸Ｘの一方側に向けて延在する延在部２５を含む。この基部２４の基端側部分が、軸Ｘを中心とする放射方向に沿って移動可能に支持されている。
【００３３】
ここでは、基部２４は、延在部２５と、固定部２６とを備える。延在部２５は、軸Ｘ方向に沿って延びる棒状部分である。延在部２５は、軸Ｘに対して傾斜しつつ又は曲りつつ、軸Ｘの一方側に向けて延在していてもよい。
【００３４】
固定部２６は、基部２４の基端部から軸Ｘに向けて延在すると共に、軸Ｘの他方側に向けて延びるＬ字状部分に形成されている。そして、この固定部２６の端部の固定端部２７が、拡張駆動機構部４０に固定されることで、基部２４の基端側部分が所定の軸Ｘを中心とする放射方向に沿って移動可能に支持される。
【００３５】
固定部２６は、延在部２５に対して直線的に延在していてもよい。もっとも、Ｌ字状に曲る固定部２６とすることで、軸Ｘ近くにまで移動させる構成を用いて、延在部２５を軸Ｘから離れた位置に配設することができる。これにより、拡張部材として直線棒状部材を用いる一般的なグロメット拡張装置を利用することが容易となる。
【００３６】
中間連結部２８は、延在部２５の先端部から所定の軸Ｘに向けて延在する棒状形状に形成されている。ここでは、中間連結部２８は、軸Ｘを中心とする放射方向に沿って延在しているが、前記放射方向に対して傾斜し又は曲りつつ軸Ｘに向う形状であってもよい。
【００３７】
また、挿入部２９は、中間連結部２８の先端部から所定の軸Ｘ方向他方側に向けて延在する棒状形状に形成されている。挿入部２９は、軸Ｘに沿って延在していることが好ましいが、これは必須ではない。軸Ｘに沿った方向における挿入部２９の長さ寸法は、同方向における延在部２５の長さ寸法よりも小さい。
【００３８】
上記中間連結部２８の長さ寸法は、複数の挿入部２９が軸Ｘに対して最も近づいた状態で、複数の延在部２５の内側に弾性コネクタカバー１６を配設可能なスペースを形成できる程度の大きさに設定されている。換言すれば、延在部２５は、挿入部２９に対して軸Ｘを中心とする径方法外側に位置しており、挿入部２９に対する延在部２５の離間距離は、複数の延在部２５の内側に弾性コネクタカバー１６を配設可能程度の大きさに設定されている。
【００３９】
そして、複数の拡張部材２２を軸Ｘ側に接近移動させた状態で、弾性コネクタカバー１６のカバー部１７を複数の延在部２５の内側であって挿入部２９の先端側の位置に配設しつつ、軸Ｘ周りに位置する複数の挿入部２９を筒部１８内に挿入できるようになっている。また、この状態で、複数の拡張部材２２を軸Ｘから離隔移動させることによって、筒部１８がその内部の孔を広げるように拡張できるようになっている。
【００４０】
＜環状弾性部品の取付方法について＞
上記拡張治具２０を利用して弾性コネクタカバーをワイヤーハーネス１２に取付けて環状弾性部品付ワイヤーハーネス１０を製造する方法について説明する。
【００４１】
まず、図４に示すように、上述したように、幹線部分１３と、当該幹線部分１３から分岐する分岐部分１４、１４Ａとを含み、分岐部分１４Ａの端部にコネクタ１５が取付けられたワイヤーハーネス１２を準備する（工程(a)）。
【００４２】
そして、図５に示すように、工程(a)と同時又は前後に、弾性コネクタカバー１６を拡張治具２０にセットする。より具体的には、弾性コネクタカバー１６のカバー部１７を複数の延在部２５の内側であって挿入部２９の先端側の位置に配設しつつ、軸Ｘに対して接近する位置に移動した複数の挿入部２９を筒部１８内に挿入する（工程(b)）。
【００４３】
この後、図６に示すように、各拡張部材２２を、軸Ｘを中心とする放射方向に沿って外向きに移動させて、弾性コネクタカバー１６の筒部１８を拡張する（工程(c)）。
【００４４】
この後、図７及び図８に示すように、端部にコネクタ１５が取付けられた分岐部分１４Ａを、弾性コネクタカバー１６に挿通する。より具体的には、コネクタ１５がカバー部１７内に配設されると共に、そのコネクタ１５から延出する分岐部分１４Ａが拡張された筒部１８内に配設されるようにする（工程(d)）。
【００４５】
次に、図９に示すように、各拡張部材２２を、軸Ｘを中心とする放射方向に沿って内向きに移動させて、弾性コネクタカバー１６を縮める。すなわち、弾性コネクタカバー１６の筒部１８が弾性復元力によって元の形状に縮まる（工程(e)）。
【００４６】
この後、図１０に示すように、各拡張部材２２を、弾性コネクタカバー１６に対して軸Ｘの一方側に相対移動させて、挿入部２９を弾性コネクタカバー１６に対して引抜く。この際、延在部２５は、コネクタ１５及び弾性コネクタカバー１６の外側を通って軸Ｘの他方側、即ち、幹線部分１３の反対側に延在しているので、拡張部材２２は、コネクタ１５、弾性コネクタカバー１６及び幹線部分１３には干渉し難い。このため、上記引抜き作業を容易に実施できる。これにより、コネクタ１５がカバー部１７内に収容されると共に、そのコネクタ１５から延出する分岐部分１４Ａに筒部１８が外嵌めされた状態となる（工程(f)）。
【００４７】
そして、図１１に示すように、各拡張部材２２を軸Ｘから遠ざかる方向に移動させると、図１２に示すように、各拡張部材２２の内側から、弾性コネクタカバー１６が取付けられた分岐部分１４Ａを容易に取去ることができる。これにより、環状弾性部品付ワイヤーハーネス１０を製造することができる。
【００４８】
以上のように構成された環状弾性部品の拡張治具及び環状弾性部品付ワイヤーハーネスの製造方法によると、延在部２５に対して軸Ｘ側に離れて挿入部２９が設けられる。このため、延在部２５の内側に弾性コネクタカバー１６を配設した状態で、挿入部２９を弾性コネクタカバー１６に挿入した状態とすることができる。そして、弾性コネクタカバー１６に対して挿入部２９を基部２４の基端側に引抜くことができる。このため、ワイヤーハーネス１２の分岐部分１４Ａに対して弾性コネクタカバー１６を取付ける際等において、幹線部分１３及びコネクタ１５等が邪魔になり難く、ワイヤーハーネス１２の分岐部分１４Ａ等に対して容易に弾性コネクタカバー１６を取付けることができる。
【００４９】
また、各拡張部材２２の挿入部２９を最も近づけた状態において、各延在部２５の内側に弾性コネクタカバー１６を配設した状態とすることができ、この状態で、挿入部２９を弾性コネクタカバー１６から容易に引抜くことができる。
【００５０】
｛変形例｝
なお、拡張治具２０による拡張対象は、弾性コネクタカバー１６に限られない。拡張治具２０は、ゴム等の弾性部材によって形成されたグロメット等、各種環状弾性部品を拡張させる装置として利用できる。
【００５１】
また、本拡張治具２０により拡張された環状弾性部品を、ワイヤーハーネスに取付ける位置は、分岐部分１４Ａに限られない。ワイヤーハーネスの取付対象部分の前後に何らかの部品が存在し、直線状の治具を抜差しする際にそれらの部品が干渉する場合等において、本拡張治具２０を適用することができる。
【００５２】
以上のようにこの発明は詳細に説明されたが、上記した説明は、すべての局面において、例示であって、この発明がそれに限定されるものではない。例示されていない無数の変形例が、この発明の範囲から外れることなく想定され得るものと解される。
【符号の説明】
【００５３】
１０  環状弾性部品付ワイヤーハーネス
１２  ワイヤーハーネス
１３  幹線部分
１４，１４Ａ  分岐部分
１５  コネクタ
１６  弾性コネクタカバー
２０  拡張治具
２２  拡張部材
２３  延在部
２８  中間連結部
２９  挿入部
Ｘ  軸
【図１】
2016058291.tif 000003
【図２】
2016058291.tif 000004
【図３】
2016058291.tif 000005
【図４】
2016058291.tif 000006
【図５】
2016058291.tif 000007
【図６】
2016058291.tif 000008
【図７】
2016058291.tif 000009
【図８】
2016058291.tif 000010
【図９】
2016058291.tif 000011
【図１０】
2016058291.tif 000012
【図１１】
2016058291.tif 000013
【図１２】
2016058291.tif 000014